(57)【要約】【課題】配管スペース部を閉止する蓋部材の取り付け構造を、意匠性も損なうことなく簡単な構成とし、キャビネットの設置、メインテナンス等の作業に際して、配管スペース部へのアクセスおよび閉止等の作業をし易くする。【解決手段】キャビネットは、側板、底板、背板、背板側下方に設けられた配管スペース部８、および配管スペース部８を閉止する蓋部材を備え、蓋部材は底板と略平行に設けられる横蓋部１３と背板と略平行に設けられる縦蓋部１４を備え、固定桟１０の桟本体２７の隅部に、可動部２９で蓋押さえ部２８を連結して設け、蓋押さえ部２８の上側凸部４１と下側凸部４２を、それぞれ桟本体２７の上面凹部３３と前面凹部３５に嵌合することで、蓋部材を着脱可能に固定する。【選択図】図２
2019055107.tif 000002
【特許請求の範囲】
【請求項１】
側板と底板と背板と背板側下方に設けられた配管スペース部と配管スペース部を閉止する蓋部材を備えるキャビネットにおいて、蓋部材は底板と略平行に設けられる横蓋部と背板と略平行に設けられる縦蓋部を備え、横蓋部と縦蓋部の近接部には固定桟が設けられており、固定桟は桟本体と、固定桟の蓋部材側の隅部に、桟本体と可動部で連結された蓋押さえ部を備えていることを特徴とするキャビネット。
【請求項２】
請求項１に記載のキャビネットにおいて、蓋押さえ部は配管スペース部外に設置され、蓋部材を配管スペース部外から固定することを特徴とするキャビネット。
【請求項３】
請求項１または２に記載のキャビネットにおいて、桟本体には凹部が設けられており、蓋押さえ部には凹部に嵌合する凸部が設けられていることを特徴とするキャビネット。
【請求項４】
請求項１から３のいずれかに記載のキャビネットにおいて、蓋押さえ部は横蓋部を固定する上押さえ部と縦蓋部を固定する下押さえ部を備え、上押さえ部と下押さえ部はいずれも桟本体の隅部に可動部で連結してなることを特徴とするキャビネット。
【発明の詳細な説明】
【技術分野】
【０００１】
本発明は、キャビネットに関し、特に、背板側に配管スペースを備えるキッチンのキャビネット等において、キャビネット内に設けられた配管スペースを閉止するための蓋部の取り付け構造に関する発明である。
【背景技術】
【０００２】
従来、側板、背板および底板とから成るキッチン等のキャビネットでは、キャビネット内においてその背板側の下方に、配水管、給湯管等の配管類を配設する配管スペースが設けられている。この配管スペース内の配管類が正面側から露出して見えないように、配管スペースをキャビネット内の収納空間と仕切るために、通常は、蓋部材（点検口蓋）を着脱可能に取り付けている。
【０００３】
図４（ａ）は、従来例のキャビネット５０であり、このキャビネット５０は、背板４側の下方に設けられた配管スペース部８を閉止する蓋部材（点検口蓋）９が取り付けられている。
【０００４】
この取り付け構造では、図４（ｂ）に示すように、蓋部材９は、横蓋部１３と縦蓋部１４を備え、横蓋部１３の前端部２３と縦蓋部１４の上端部２４は、キャビネット５０内で横方向に延びるように設けられた固定桟５１に、ビス５２で取り付けられている。
【０００５】
また、従来、側板、背板および底板とから成る厨房キャビネットにおいて、前端部に下方に突出する一対の突片からなる嵌合部を有し、背板の下端部に固定され前方に向けて延びる配管カバーと、配管カバーの前端部の嵌合部に着脱自在に嵌合されるカバープレートと、を備えた構成が知られている（特許文献１、２参照）。
【先行技術文献】
【特許文献】
【０００６】
【特許文献１】特許第５３９９７８５号公報
【特許文献２】特開２０１０−２８４３８７号公報
【発明の概要】
【発明が解決しようとする課題】
【０００７】
図４に示す従来例では、蓋部材９の横蓋部１３と縦蓋部１４を、それぞれ固定桟５１にビス５２で取り付ける構造であるので、キャビネットの設置やメインテナンスの際に、キャビネット５０内での面倒なビス止め作業を伴い、配管スペース部８の閉止、開放の作業が面倒であり、またビス５２が正面から見えるために、意匠性も損なうという問題があった。
【０００８】
また、特許文献１、２に示す従来例では、背板から前方に向けて延びる配管カバーは、その前端に嵌合部を形成されているものを使用しなくてはならず、配管カバーの構成が複雑となり、その形成のために工程数がかかるという問題が考えられる。
【０００９】
本発明は、上記従来例における問題を解決することを目的とし、キャビネットにおいて、配管スペース部を閉止する蓋部材を構成する横蓋部と縦蓋部の取り付け構造を、部品点数の少ない簡単な構成とし、キャビネットの設置、メインテナンス等の作業に際して、配管スペース部へのアクセスおよび閉止等の作業をし易くするとともに、意匠性を損なうようなことのない配管スペースの蓋部材の固定構造を実現することを課題とする。
【課題を解決するための手段】
【００１０】
本発明は前記課題を解決するために、側板と底板と背板と背板側下方に設けられた配管スペース部と配管スペース部を閉止する蓋部材を備えるキャビネットにおいて、蓋部材は底板と略平行に設けられる横蓋部と背板と略平行に設けられる縦蓋部を備え、横蓋部と縦蓋部の近接部には固定桟が設けられており、固定桟は桟本体と、固定桟の蓋部材側の隅部に、桟本体と可動部で連結された蓋押さえ部を備えていることを特徴とするキャビネットを提供する。
【００１１】
蓋押さえ部は配管スペース部外に設置され、蓋部材を配管スペース部外から固定する構成とすることが好ましい。
【００１２】
桟本体には凹部が設けられており、蓋押さえ部には凹部に嵌合する凸部が設けられている構成とすることが好ましい。
【００１３】
蓋押さえ部は横蓋部を固定する上押さえ部と縦蓋部を固定する下押さえ部を備え、上押さえ部と下押さえ部はいずれも桟本体の隅部に可動部で連結してなる構成とすることが好ましい。
【発明の効果】
【００１４】
本発明に係るキャビネットは、その配管スペース部の蓋部材は横蓋部と縦蓋部を備えており、桟本体と桟本体に可動部で連結された蓋押さえ部を備えた固定桟に、着脱可能に固定する構成としたので、部品点数が少なく、蓋部材の取り付け取り外しが簡単となり、配管スペース部へのアクセスおよび閉止が簡単となる。
【図面の簡単な説明】
【００１５】
【図１】（ａ）は本発明に係るキャビネットの実施例の全体構成を示す断面図であり、（ｂ）は要部を説明する（ａ）におけるＢ−Ｂ断面図である。
【図２】上記実施例の蓋部材を固定桟に着脱可能に固定して取り付ける構成を説明する断面図であり、（ａ）は固定前の状態を示し、（ｂ）は固定後の状態を示す図である。
【図３】上記実施例の蓋部材を固定桟に着脱可能に取り付ける構成の要部を説明する図であり、（ａ）は図２（ａ）の要部拡大図であり、（ｂ）は図２（ａ）の別の要部拡大図である。
【図４】（ａ）は従来例のキャビネットの全体構成を示す断面図であり、（ｂ）は（ａ）の要部を説明する断面図である。
【発明を実施するための形態】
【００１６】
本発明に係るキャビネットを実施するための形態を実施例に基づき図面を参照して、以下説明する。
【実施例】
【００１７】
本発明に係るキャビネットの実施例を以下、図１〜図３を参照して説明する。キャビネットは、配管スペース部を備えたものであれば、キッチンのキャビネット、洗面用のキャビネット等、どのような用途でもよい。
【００１８】
本実施例のキャビネットは、キッチンのベースキャビネットを想定して説明する。配管スペース部に配設するもの例としては、排水管、給水管（給湯管）、ガス管等の配管類だけでなく、場合によっては電線等であってもよい。本実施例では、キャビネットを手前側正面から見て手前側を前側とし、背面側を後側とし、左右方向を横方向という。
【００１９】
この実施例のキャビネット１は、図１（ａ）、（ｂ）に示すように側板２と、底板３と、背板４と、背板４側の下方に設けられた配管スペース部８と、配管スペース部８を閉止する蓋部材９と、蓋部材９を着脱可能に固定する固定桟１０と、を備えている。
【００２０】
この実施例のキャビネット１には、図示はしないが、シンクが設けられ、シンクの排水口に取り付けた排水管が、配管スペース部８を通して配設され、建屋外等に配設された廃水管に連通するようになっている。
【００２１】
なお、排水管は、排水中に混じったゴミ等で詰まらないような流れを生じさせるために、配管スペース部８内でシンク側から排水管出口側に向けて、横方向に若干下方へ傾斜して設けられている。この傾斜を設けること等を考慮して、配管スペース部８の高さないし後記する縦蓋部１４の寸法が設計される。
【００２２】
蓋部材９は、底板３と略平行に設けられる横蓋部１３と、背板４と略平行に設けられる縦蓋部１４と、を備えている。底板３の後端部には、図３（ｂ）に示すように、切り欠き１７が形成され、底板３の下面から後端面にかけてＬ字型の支持板１８が固定されており、これによって、底板３の後端部には支持溝１９が形成されている。
【００２３】
横蓋部１３は、配管スペース部８の上方を閉止する蓋として機能するものであり、板材から形成されており、その後端部は、図１（ａ）に示すように、背板４に水平かつ横方向に向けて固定された支持桟２０上に載置され、その前端部２３は、図２（ａ）、（ｂ）に示すように、固定桟１０の後記する上面切り欠き面３２上に載置固定され、キャビネット１内で横方向に延びるように水平に配置されている。
【００２４】
縦蓋部１４は、配管スペース部８の前方を閉止する蓋として機能するものであり、板材から形成されており、その下端部は、図３（ｂ）に示すように、底板３の後端部に形成された支持溝１９内に挿入されて支持され、その上端部２４は固定桟１０の前面に当接され、後記する蓋押さえ部２８の下押さえ部３９で挟み付けられて固定されている。
【００２５】
固定桟１０は、図２（ａ）、図３（ａ）に示すように、桟本体２７と蓋押さえ部２８を備えている。桟本体２７と蓋押さえ部２８は可動部２９も含め、例えば、ＡＢＳ樹脂等の合成樹脂で一体的に形成されている。
【００２６】
蓋押さえ部２８は、配管スペース部外に設置されており、固定桟１０の蓋部材９側の隅部（より詳しくは、固定桟１０における蓋部材の横蓋部１３の前端部２３と縦蓋部１４の上端部２５が互いに近接する側の隅部）に、可動部２９で桟本体２７と一体に連結されて設けられている。                                                
【００２７】
桟本体２７は、図２（ａ）、（ｂ）に示すように、断面が略矩形であり、その両側端には、それぞれダボ孔３１が形成されている。桟本体２７は、その両側端のそれぞれにおいて、キャビネット１の左右の側板２を通してダボ（図示せず）がダボ孔３１に打ち込まれ、左右の側板２に固定され、左右の側板２の間に架設されている。
【００２８】
図２（ａ）、（ｂ）、図３（ａ）に示すように、固定桟１０の蓋部材９側の隅部に相当する桟本体２７の隅部を挟んで、桟本体２の上面には、上面切り欠き面３２と上面凹部３３がそれぞれ形成され、桟本体２の前面には、前面切り欠き面３４と前面凹部３５がそれぞれ形成されている。                        
【００２９】
蓋押さえ部２８は、図２（ａ）、図３（ａ）に示すように、全体的には平板状に形成されており、上押さえ部３８と下押さえ部３９を有し、上押さえ部３８と下押さえ部３９は、それぞれ可動部２９で桟本体２７の隅部と連結されている。可動部２９における上押さえ部３８と下押さえ部３９にそれぞれ連続する部分に、薄肉部４０が形成されている。
【００３０】
蓋押さえ部２８は、両側の薄肉部４０で曲がり易いので、可動部２９を中心に、図２（ａ）の状態から図２（ｂ）の状態に曲がることが可能となる。上押さえ部３８と下押さえ部３９における桟本体２７に面する側には、それぞれ上側凸部４１および下側凸部４２が形成されている。上側凸部４１および下側凸部４２は、図２（ｂ）に示すように、桟本体２７の上面凹部３３および前面凹部３５と嵌合可能であり、また離脱可能である。
【００３１】
横蓋部１３は、その前端部２３が、桟本体２７の上面切欠き面３２に載置された状態で、上記のとおり、蓋押さえ部２８が折り曲げられることで、上押さえ部３８の上側凸部４１が桟本体２７の上面凹部３３に嵌合、離脱されて、桟本体２７に係脱可能に固定される。
【００３２】
また、縦蓋部１４は、その上端部２４が、桟本体２７の前面切欠き面３４に当接された状態で、上記のとおり、蓋押さえ部２８が折り曲げられることで、下押さえ部３９の下側凸部４２が前面凹部３５に嵌合、離脱されて、桟本体２７に係脱可能に固定される。
【００３３】
（作用）
キャビネット１の構成をより明確にするために、作用について、以下説明する。キャビネット１の設置、メインテナンス等の際に、配管スペース部８を蓋部材９で閉止するための手順は次のとおりである。
【００３４】
まず、横蓋部１３を、その後端部を支持桟２０（図１（ａ）参照）に載置し、その前端部２３を、図２（ａ）、図３（ａ）に示すように、固定桟１０の上面切り欠き面３２に載置する。
【００３５】
そして、蓋押さえ部２８の上押さえ部３８を可動部２９を中心に折り曲げて、上側凸部４１を固定桟１０の上面凹部３３に嵌合し、上押さえ部３８によって、横蓋部１３の前端部２３を桟本体２７に挟み付けて固定する。
【００３６】
次に、縦蓋部１４を、その下端部を、図３（ｂ）に示すように、底板３の支持溝１９内に挿入し、その上端部２４を、図２（ａ）、図３（ａ）に示すように、固定桟１０の前面切り欠き面３４に当接する。
【００３７】
そして、蓋押さえ部２８の下押さえ部３９を可動部２９を中心に折り曲げて、下側凸部４２を固定桟１０の前面凹部３５に嵌合し、下押さえ部３９によって、縦蓋部１４の上端部２４を桟本体２７に挟み付けて固定する。
【００３８】
以上の手順で作業を行うことで、横蓋部１３の前端部２３および縦蓋部１４の上端部２４は、図２（ｂ）に示すように、固定桟１０に固定され、これによって、図１（ａ）に示すように、蓋部材９を配管スペース部８外から固定して、配管スペース部８を閉止することができる。
【００３９】
キャビネット１のメインテナンス等の際に、配管スペース部８へアクセスするために、蓋部材９を取り外して配管スペース部８を開く手順は、蓋部材９で配管スペース部８を閉止する上記手順と逆であり、次のとおりである。
【００４０】
まず、蓋押さえ部２８における上押さえ部３８の上側凸部４１を、固定桟１０の上面凹部３３から抜き外して、横蓋部１３を上方に持ち上げれば桟本体２７から外れ、横蓋部１３を取り外すことができる。
【００４１】
次に、蓋押さえ部２８における下押さえ部３９の下側凸部４２を、固定桟１０の前面凹部３５から抜き外して、縦蓋部１４を斜め上方に持ち上げながらその下端部を底板３の支持溝１９から外せば、縦蓋部１４を取り外すことができる。以上の手順を行うことで、蓋部材９を取り除いて、配管スペース部８を開くことができる。
【００４２】
キャビネット１は、桟本体２７と、桟本体２７に可動部２９で連結された蓋押さえ部２８と、を備えた固定桟１０に、横蓋部１３と縦蓋部１４を着脱可能に固定するという構成であるので、配管スペース部８を、蓋部材９によって、簡単に閉止および開放することが可能となる。そのために、キャビネット１の設置、メインテナンス等の際に、配管スペース部８へのアクセスが容易となり、作業性が向上する。
【００４３】
特に、固定桟１０に横蓋部１３と縦蓋部１４を着脱可能に固定するために、上押さえ部３８および下押さえ部３９の上側凸部４１および下側凸部４２を、桟本体２７の上面凹部３３および前面凹部３５に嵌合し、離脱可能な構造を採用したので、蓋部材９の着脱ないし配管スペース部８の閉止および開放のための構成が部品点数が少なく、きわめて簡単となり、ビス止め等をしないので、意匠性も向上する。
【００４４】
以上、本発明に係るキャビネットを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４５】
配管スペース部を背板側の下部に備えたキャビネットでは、キャビネットの設置、メインテナンス等の作業に際しては、配管スペース部への蓋部の取り外し、取り付け等の作業を伴うのでアクセスが面倒である。しかし、本発明に係るキャビネットは、上記のような構成としたので、配管スペース部へのアクセスが容易となる。従って、そのような配管スペース部を備えたキッチンのキャビネット、洗面用のキャビネット等に最適である。
【符号の説明】
【００４６】
１  キャビネット                  
２  側板                          
３  底板                          
４  背板                          
８  配管スペース部                
９  蓋部材                        
１０  固定桟                        
１３  横蓋部                        
１４  縦蓋部                        
１７  底板の切り欠き                
１８  支持板                        
１９  支持溝                        
２０  支持桟                        
２３  横蓋部の前端部                
２４  縦蓋部の上端部                
２７  固定桟の桟本体                
２８  固定桟の蓋押さえ部            
２９  固定桟の可動部
３１  ダボ孔                
３２  上面切り欠き面                
３３  上面凹部                      
３４  前面切り欠き面                
３５  前面凹部                      
３８  上押さえ部                    
３９  下押さえ部                    
４０  薄肉部                        
４１  上側凸部                      
４２  下側凸部
５０  キャビネット
５１  固定桟
５２  ビス
【図１】
2019055107.tif 000003
【図２】
2019055107.tif 000004
【図３】
2019055107.tif 000005
【図４】
2019055107.tif 000006